(57)【特許請求の範囲】
【請求項１】
画像入力機能を有する移動体通信端末（以下、撮影端末という）と、画像出力機能を有する移動体通信端末群（以下、受信端末群という）と、コンピュータとが、ネットワークで接続されたデータ送信システムに用いられるデータ送信方法であって、
前記受信端末群がそれぞれの自端末の位置情報と通信アドレスとを前記コンピュータに通知する位置情報通知ステップと、
前記コンピュータが前記受信端末群それぞれの位置情報と通信アドレスとを記憶する位置記憶ステップと、
撮影終了後、前記撮影端末から被写体までの距離及び方位を含む相対位置情報を、前記撮影端末が前記コンピュータに通知する相対位置通知ステップと、
前記コンピュータが、前記受信端末群それぞれの位置情報と、前記相対位置情報と、前記撮影端末の絶対位置情報と、に基づいて、撮影された画像データの送信先候補を、前記位置記憶ステップで記憶された通信アドレスから決定する候補決定ステップと、
前記コンピュータが、前記送信先候補の通信アドレスを前記撮影端末に通知する候補通知ステップと、
前記撮影端末が、前記送信先候補の受信端末に対し、前記画像データを送信する送信ステップと、
前記送信先候補の受信端末が、前記画像データを受信及び出力する出力ステップと、
を含むデータ送信方法。
【請求項２】
画像入力機能を有する移動体通信端末（以下、撮影端末という）と、画像出力機能を有する移動体通信端末群（以下、受信端末群という）とに、ネットワークを介して接続する接続手段、
前記受信端末群から各受信端末の位置情報と通信アドレスとを受信する位置情報受信手段、
前記各受信端末の位置情報と通信アドレスとを記憶する位置記憶手段、
前記撮影端末から被写体までの距離及び方位を含む相対位置情報を、前記撮影端末から受信する相対位置情報取得手段、
前記各受信端末の位置情報と、前記相対位置情報と、前記撮影端末の絶対位置情報と、に基づいて、撮影された画像データの送信先候補を、前記位置記憶手段に記憶された通信アドレスから決定する候補決定手段、及び
前記送信先候補の通信アドレスを前記撮影端末に通知する候補通知手段、
としてコンピュータを機能させる送信先決定プログラム。
【請求項３】
画像入力機能を有する移動体通信端末（以下、撮影端末という）であって、
画像出力機能を有する移動体通信端末群（以下、受信端末群という）と、前記受信端末群に含まれる各受信端末の位置情報及び通信アドレスを記憶するコンピュータとに、ネットワークを介して接続する接続手段と、
前記撮影端末の絶対位置情報を検出する位置情報検出手段と、
画像データ入力後、前記撮影端末から被写体までの距離及び方位を含む相対位置情報を、前記コンピュータに通知する相対位置通知手段と、
前記コンピュータが前記各受信端末の位置情報と、前記相対位置情報と、前記絶対位置情報と、に基づいて、前記記憶された通信アドレスから決定した前記画像データの送信先候補の通信アドレスを、前記コンピュータから受信する候補受信手段と、
前記送信先候補の受信端末に対し、前記画像データを送信する送信手段と、
を含む撮影端末。
【発明の詳細な説明】
【０００１】
【発明の属する技術分野】
本発明は、携帯端末を用いた無線通信によるデータの送信方法に関する。なかでも、デジタルカメラ等の端末間の相対的な位置を検出する相対位置センサ、端末の指し示す方位を検出する方位センサ、ＧＰＳ等により端末の絶対位置を検出する絶対位置センサ、データ通信機能などを有する携帯端末を用いたデータの無線通信方法に関する。
【０００２】
【従来の技術】
近年、携帯電話をはじめとした携帯端末の高機能化、小型化、低価格化が急速に進んでいる。最新型の携帯電話の中には、通話機能のみならず、データ通信モジュールやデジタルカメラを有するタイプも提供されている。
【０００３】
またＰＨＳ（Ｐｅｒｓｏｎａｌ  Ｈａｎｄｙｐｈｏｎｅ  Ｓｙｓｔｅｍ）では、基地局を用いてＰＨＳ所有者の位置を特定し、ＰＨＳ所有者が位置する地域固有の情報を提供するサービスが実施されている。携帯端末の高機能化をさらに発展させ、ＰＨＳの基地局方式では得ることができない高精度で携帯端末の位置情報を取得できるＧＰＳ（Ｇｌｏｂａｌ  Ｐｏｓｉｔｉｏｎｉｎｇ  Ｓｙｓｔｅｍ）や方位、傾斜角センサなどを組み込むための開発が進められている。
【０００４】
デジタルカメラもしくはデジタルカメラ機能を持つ携帯端末で人物の記念撮影を行なう場合、被写体人物が写真データを取得するためには、撮影者から写真データを送信してもらう必要がある。この送信方法としては、１）電子メールを用い、写真データを撮影者から被写体人物へ送信する、２）撮影者の個人ホームページへ写真データをアップロードし、撮影者から被写体人物へ前記ホームページのＵＲＬを通知する、の２つの方法が一般的である。
【０００５】
【発明が解決しようとする課題】
しかし、デジタルカメラで撮影した写真データを被写体に送信する場合は、被写体人物のメールアドレスを調べ、電子メールに写真データを添付し、被写体人物のメールアドレス宛にメールを送る、という作業を撮影者が行なう必要がある。  一方、撮影者のホームページ上で写真データを公開する場合、撮影者は写真データをＷＷＷ（Ｗｏｒｌｄ  Ｗｉｄｅ  Ｗｅｂ）サーバへアップロードしなければならない。また、部外者が参照できないように特定ユーザのみに公開を限定する場合、部外者が参照できないようにＷＷＷサーバのアクセス制御の設定を撮影者が行なわなければならない。
【０００６】
すなわち、いずれの方法を用いても、被写体人物に写真データを送る作業は撮影者にとって手間がかかり、手軽に写真データを送ることができない。写真データを送りたいまたは取得したい状況は、記念撮影だけに限られない。例えば、旅行者が旅行先から家族へ今の自分の様子や景色を伝える写真データを送る場合が考えられる。また、旅行会社の添乗員が団体旅行の写真を撮影し、すぐに参加者に送りたい場合が考えられる。
【０００７】
本発明は、撮影した写真データを、撮影端末から他の端末に手軽に送信するための技術を提供することを目的とする。
【０００８】
【課題を解決するための手段】
前記課題を解決するために、本願第１発明は、画像入力機能を有する移動体通信端末（以下、撮影端末という）と、画像出力機能を有する移動体通信端末群（以下、受信端末群という）と、コンピュータとが、ネットワークで接続されたデータ送信システムに用いられるデータ送信方法を提供する。この方法は、下記Ａ〜Ｇステップを含む。
Ａ：前記受信端末群がそれぞれの自端末の位置情報と通信アドレスとを前記コンピュータに通知する位置情報通知ステップ、
Ｂ：前記コンピュータが前記受信端末群それぞれの位置情報と通信アドレスとを記憶する位置記憶ステップ、
Ｃ：前記撮影端末が、撮影終了後、被写体までの距離と撮影方向と自端末の位置情報と含む相対位置情報を、前記コンピュータに通知する相対位置通知ステップ、
Ｄ：前記コンピュータが、前記受信端末群それぞれの位置情報と前記相対位置情報とに基づいて、撮影された画像データの送信先候補を決定する候補決定ステップ、
Ｅ：前記コンピュータが、前記送信先候補のアドレスを前記撮影端末に通知する候補通知ステップ、
Ｆ：前記撮影端末が、前記送信先候補の受信端末に対し、前記画像データを送信する送信ステップ、
Ｇ：前記送信先候補の受信端末が、前記画像データを受信及び出力する出力ステップ。
【０００９】
この方法では、撮影端末のユーザ（以下、撮影者という）が送信先の設定や送信の操作をしなくとも、適切な受信端末が自動的に送信先として設定され、画像データの送信が行われる。送信先の決定は、撮影端末と受信端末との位置に基づいて行う。すなわち、受信端末群のうち撮影方向に位置し、かつ撮影距離の近傍に位置する受信端末が、送信先候補に決定される。画像データの送信方法は、電子メール、ＦＴＰ（Ｆｉｌｅ  Ｔｒａｎｓｆｅｒ  Ｐｒｏｔｏｃｏｌ）など公知の方法を用いることができる。
【００１０】
本願第２発明は、
・画像入力機能を有する移動体通信端末（以下、撮影端末という）と、画像出力機能を有する移動体通信端末群（以下、受信端末群という）とに、ネットワークを介して接続する接続手段、
・前記受信端末群から各受信端末の位置情報と通信アドレスとを受信する位置情報受信手段、
・前記各受信端末の位置情報と通信アドレスとを記憶する位置記憶手段、
・前記撮影端末から被写体までの距離と撮影方向と前記撮影端末の位置情報と含む相対位置情報を、前記撮影端末から受信する相対位置通知手段、
・前記各受信端末の位置情報と前記相対位置情報とに基づいて、撮影された画像データの送信先候補を決定する候補決定手段、及び
・前記送信先候補の通信アドレスを前記撮影端末に通知する候補通知手段、
としてコンピュータを機能させる送信先決定プログラムを提供する。
【００１１】
本願第３発明は、画像入力機能を有する移動体通信端末（以下、撮影端末という）を提供する。この撮影端末は、下記Ａ〜Ｅの手段を有している。
Ａ：画像出力機能を有する移動体通信端末群（以下、受信端末群という）と、前記受信端末群に含まれる各受信端末の位置情報及び通信アドレスを記憶するコンピュータとに、ネットワークを介して接続する接続手段、
Ｂ：自端末の位置情報を検出する位置情報検出手段、
Ｃ：画像データ入力後、被写体までの距離と撮影方向と前記自端末の位置情報とを含む相対位置情報を、前記コンピュータに通知する相対位置通知手段、
Ｄ：前記コンピュータが前記各受信端末の位置情報と前記相対位置情報とに基づいて決定した前記画像データの送信先候補の通信アドレスを、前記コンピュータから受信する候補受信手段、
Ｅ：前記送信先候補の受信端末に対し、前記画像データを送信する送信手段。
【００１２】
この撮影端末は、前記第１発明の方法を用いたシステムにおける撮影端末に相当する。
本願第４発明は、画像入力機能を有する移動体通信端末（以下、撮影端末という）であって、下記Ａ〜Ｄの手段を備える撮影端末を提供する。
Ａ：画像出力機能を有する移動体通信端末群（以下、受信端末群という）と、前記受信端末群に含まれる各受信端末の位置情報及び通信アドレスを記憶するコンピュータとに、ネットワークを介して接続する接続手段、
Ｂ：自端末の位置情報を検出する位置情報検出手段、
Ｃ：画像データ入力後、被写体までの距離と撮影方向と前記自端末の位置情報とを含む相対位置情報を、前記コンピュータに通知する相対位置通知手段、
Ｄ：前記画像データを、前記相対位置情報と関連付けて前記コンピュータに送信するアップロード手段。
【００１３】
前記コンピュータに送信された画像データは、Ｗｅｂページの形式で前記コンピュータに保存される。画像データを撮影端末側で保持したり、撮影端末側から受信端末側に送信する必要がなくなり、撮影端末側の負担が軽減する。
【００１４】
本願第５発明は、画像出力機能を有する移動体通信端末（以下、受信端末という）を提供する。この受信端末は、下記Ａ〜Ｄの手段を備えている。
Ａ：画像入力機能を有する移動体通信端末（以下、撮影端末という）と、前記受信端末の位置情報及び通信アドレスを記憶するコンピュータとに、ネットワークを介して接続する接続手段、
Ｂ：自端末の位置情報を検出する位置検出手段、
Ｃ：前記検出した自端末の位置情報及び通信アドレスを、前記コンピュータに送信する位置情報送信手段、
Ｄ：前記撮影端末が撮影した画像データを、前記撮影端末または前記コンピュータから取得して出力する出力手段。
【００１５】
この受信端末は、前記第１発明の方法を用いたシステムにおける受信端末に相当する。
【００１６】
【発明の実施の形態】
次に、本発明について、実施形態例を挙げながら具体的に説明する。
＜第１実施形態例＞
［構成］
（１）全体構成
図１は、第１実施形態例に係るデータ送信システムの全体構成図である。このシステムは、撮影端末１と受信端末２とセンタ端末３とがネットワーク４を介して接続されることにより構成されている。撮影端末１及び受信端末２は、移動体通信端末であり、ネットワーク４に含まれる移動体通信網を介して通話や電子メールの送受信等が可能である。このシステムでは、撮影端末１で撮影した画像データの送信先を自動的にまたは半自動的に設定し、送信先である受信端末２に送信する。図上、受信端末２は１つしか示していないが、実際には複数の受信端末が存在する。また、説明の便宜上、移動体通信端末を撮影端末と受信端末に区別し、さらにそれぞれの端末に必要な機能のみを記載しているが、移動体通信端末にそれぞれの機能をもち、撮影及び受信が共に可能なように構成されてもよい。
【００１７】
（２）撮影端末
撮影端末１は、通話及び電子メール機能を有する携帯用コンピュータにより実現される。撮影端末１は、通信処理部１１、画像入力部１２、絶対位置検出部１３、相対位置検出部１４、制御部１５、通信履歴ＤＢ１６及びアドレス帳１７を有している。
【００１８】
通信処理部１１は、ネットワーク４を介して受信端末２やセンタ端末３とデータを送受信するための通信インターフェースである。画像入力部１２は、撮影端末１と一体的に形成されたまたはケーブルなどにより撮影端末と接続されたデジタルカメラやビデオカメラ等の撮影装置を用いて実現することができる。絶対位置検出部１３は、例えばＧＰＳ（Ｇｌｏｂａｌ  Ｐｏｓｉｔｉｏｎｉｎｇ  Ｓｙｓｔｅｍ）の機能により実現することができる。
【００１９】
相対位置検出部１４は、距離センサ１４１と方位センサ１４２とを有している。距離センサ１４１としては、画像入力部１２としてのデジタルカメラのフォーカスを用いることができる。方位センサ１４２としては通常用いられるコンパスにより実現することができる。制御部１５は、撮影端末１のメモリ上に記録された制御プログラムを実行するＣＰＵにより実現される。通信履歴ＤＢ１６には、通話機能や電子メール機能等の通信機能を備えた撮影端末１の通信履歴が記録されている。また、アドレス帳１７には、通信機能を有する撮影端末１のユーザ（以下、撮影者という）により記録された通信相手となる知人の氏名や電話番号、電子メールアドレスなどが記録されている。
【００２０】
（３）受信端末
受信端末２は、通話及び電子メール機能等を有する携帯用コンピュータにより実現される。受信端末２は、通信処理部２１、絶対位置検出部２２及び画像出力部２３を有している。通信処理部２１は、ネットワーク４を介して撮影端末１やセンタ端末３とデータを送受信するための通信インターフェースである。絶対位置検出部２２としては、前記撮影端末１と同様に、ＧＰＳを用いることができる。画像出力部２３は、受信端末２のディスプレイに画像を出力するプログラムを実行するＣＰＵにより実現される。このプログラムは、受信端末２のメモリ上に記録されている。
【００２１】
（４）センタ端末
センタ端末３は、インターネットや移動体通信網を含むネットワーク４に接続されたコンピュータである。センタ端末３は、端末位置テーブル３１、送信先決定部３２及びプレゼンスサーバ３３を有している。端末位置テーブル３１は、受信端末２のＧＰＳ座標による絶対位置を記憶するためのテーブルである。端末位置テーブル３１には、例えば受信端末の「電話番号」、絶対位置である「ＧＰＳ座標」、受信端末のユーザ（以下、受信者という）の「氏名」及び「電子メールアドレス」が登録されている。このテーブル３１は、センタ端末３のハードディスクなどに記憶される。
【００２２】
送信先決定部３２は、撮影端末１で撮影された画像データの送信先を決定するプログラムを実行するＣＰＵにより実現される。また、このプログラムは、センタ端末３のハードディスクなどに記録されている。
【００２３】
プレゼンスサーバ３３とは、ネットワーク上の複数のユーザの状態情報を管理するためのサーバである。このサーバは、サーバ機能を実現するプログラムがＣＰＵにより実行されて実現される。プレゼンスサーバ３３は必須要件ではない。プレゼンスサーバ３３はグループテーブル３３１を有している。このサーバ３３は、グループテーブル３３１へのユーザグループの登録を撮影端末１や受信端末２から受け付け、ユーザグループ内で撮影者や受信者の状態情報を配信する。グループテーブル３３１には、「グループ保持者」、グループ保持者の通信アドレスである「電話番号」、「グループ名」、グループを構成する「メンバー名」、各メンバーの「電話番号」及び「電子メールアドレス」が記録されている。例えば、撮影者が被写体である受信者をグループに登録すると、撮影者がグループ保持者として、被写体である受信者はメンバとしてこのグループテーブルに登録される。
【００２４】
［各部の機能］
次に、図２及び図３を参照しながら、撮影端末１の制御部１５、受信端末２の画像出力部２３及びセンタ端末３の送信先決定部３２の機能についてくわしく説明する。以下では、撮影者が受信者を被写体として撮影し、受信者が有する受信端末に画像データを送信する場合を例に取り、説明する。
【００２５】
（１）撮影端末とセンタ端末
図２は、撮影端末側で表示される画面例である。まず、制御部１５は、図２（ａ）のメニュー画面を表示し、いずれかの機能の選択を受け付ける。この例では、機能として「デジカメ（自動送信）」、「自局電話番号」、「音関連機能」が表示されている。ここで「デジカメ（自動送信）」が選択されると、図２（ｂ）に示す撮影画面が表示される。この画面で「確定ボタン」が押されると、画像入力部１２は、レンズを通して得られる画像のディジタルデータを、制御部１５に送出する。制御部１５は、画像データを一時的に記憶する。
【００２６】
次いで、制御部１５は、図２（ｃ）の待機画面を表示し、被写体までの距離、方位及び自端末の絶対位置を示すＧＰＳ座標（位置情報）を含む相対位置情報を、センタ端末３に送信する。ここで、被写体までの距離は、デジタルカメラの焦点距離の設定から取得する。また、撮影方位は、撮影方向を検知する方位センサ１４２から取得する。さらに、ＧＰＳ座標は絶対位置検出部１３から取得する。制御部１５は、これらの相対位置情報に加え、自端末の一ヶ月間の通信履歴や自端末のアドレス帳を、センタ端末３に送信してもよい。次いで、制御部１５は、センタ端末３からの応答を待機する。
【００２７】
一方、この間に、センタ端末３の送信先決定部３２は、画像データの送信先候補を決定する。これは、受信した前記相対位置情報に基づいて、被写体である受信者が携帯している受信端末２を類推することにより行う。すなわち、送信先決定部３２は、撮影端末１からフォーカス距離だけ離れた地点近傍に位置し、かつ撮影端末１から見て撮影方位の方向に位置する受信端末を、端末位置テーブル３１から検索する。送信先決定部３２は、検索した受信端末が送信先候補として記載された候補リストを作成し、これを撮影端末１に送信する。候補リストには、送信先候補である受信端末の電子メールアドレス及び受信者名が記載される。これらに加え、受信端末の絶対位置を示すＧＰＳ座標を記載しても良い。
【００２８】
さらに、送信先決定部３２は、前述のようにして抽出した送信先候補を、撮影端末の通信履歴やアドレス帳に基づいてさらに絞っても良い。すなわち、送信先決定部３２は、前述の候補リストに含まれている受信端末から、通信履歴ＤＢ１６やアドレス帳１７に通信アドレスが記述されている受信端末だけをさらに抽出し、送信先候補としても良い。
【００２９】
図２（ｄ）は、制御部１５が、センタ端末３から受信した送信先候補を表示した候補リスト画面である。制御部１５はこの候補リストの修正を受け付けることが好ましい。本例では、画面上に、「追加ボタン」、「削除ボタン」が設定されている。「追加ボタン」が押されると、制御部１５は、図２（ｅ）のアドレス帳画面を表示し、アドレス帳１７から送信先候補の追加を受け付ける。また、逆に、図２（ｄ）の候補リスト画面上でいずれかの送信先候補が選択された状態で「削除ボタン」が押されると、制御部１５は選択された受信端末を送信先候補リストから除外する。「送信ボタン」が押されると、制御部１５はその時点で送信先候補となっている受信端末の電子メールアドレスに対し、画像データを送信する。すなわち、制御部１５は、電子メールアドレスの宛先に受信端末の電子メールアドレスを設定し、画像データを電子メールに添付し、受信端末に電子メールを送信する。制御部１５は、受信者全員及び撮影者の氏名、電話番号、電子メールアドレス、各受信端末の絶対位置を示すＧＰＳ座標などを、画像データと共に送信しても良い。
【００３０】
図２（ｅ）は、前記アドレス帳１７から送信先候補を追加するためのアドレス帳画面である。この画面には、撮影端末１のアドレス帳１７に記憶されているユーザ氏名や電話番号が表示されている。制御部１５は、アドレス帳一覧の中から一または複数のユーザの選択を受け付け、送信先候補に追加する。この画面上で「戻るボタン」が押されると、制御部１５は前記図２（ｄ）の候補リスト画面を再表示する。
【００３１】
図２（ｆ）は、制御部１５が表示する完了通知画面である。受信端末２に画像データを送信し終わると、この画面が表示される。
図２（ｇ）は、制御部１５が表示するグループ選択画面である。制御部１５は、撮影された画像をディスプレイ上に表示し、撮影者と受信者とを含むユーザグループを作成することが可能である。例えば、制御部１５は、ある画像データを選択してユーザグループの作成が指示された場合、その画像の中に写っている被写体（受信者）と撮影者とから成るユーザグループを作成する。このためには、制御部１５は、送信した画像データと送信先の受信端末の通信アドレスとを記憶しておく必要がある。さらに、制御部１５は、グループ名の設定を受け付けても良い。制御部１５は、作成したグループを、例えばアドレス帳１７に書き込む。撮影者は、図２（ｇ）のグループ選択画面上で、いずれかのグループを選択し、グループメンバに電話をかけたり電子メールを送信したりすることができる。制御部１５は、作成したユーザグループの内容を、センタ端末３のプレゼンスサーバ３３に送信し、グループテーブル３３１に登録しても良い。この場合、撮影者がグループ保持者として登録される。
【００３２】
図２（ｈ）は、制御部１５が作成するクリッカブル画像を用いた通信者選択画面である。円滑な通信の開始を促進する目的で、制御部１５はクリッカブル画像を作成可能である。例えば、センタ端末３から送られてくる前記候補リストに受信端末のＧＰＳ座標及び通信アドレスが含まれている場合、制御部１５は画像上の受信者に対してクリッカブル画像を作成可能である。また、制御部１５は、その画像に受信者の電話番号やメールアドレスなどの通信アドレスをリンク付けることが可能である。制御部１５は、いずれかの受信者に対するクリッカブル画像がクリックされると、図２（ｈ）に示す画面を表示する。この画面上で「メールボタン」が押されれば、クリックされた画像にリンク付けられたメールアドレスに対し、メールを設定する画面が表示される（図示せず）。「電話ボタン」が押されれれば、クリックされた画像にリンク付けられた電話番号に対し、発呼要求が送信される。
【００３３】
（２）受信端末
図３は、受信端末側で表示される画面例である。図３（ａ）は、画像出力部２３が表示する受信通知画面の一例である。画像出力部２３は、撮影端末１から画像データを受信すると、このような受信通知画面をディスプレイに表示してもよい。この画面上で「表示ボタン」が押されることによる表示の指示がなされると、図３（ｂ）に示す画面が表示される。
【００３４】
図３（ｂ）は、画像出力部２３が表示する画像表示画面である。画像出力部２３は、この画面上で、撮影端末１から電子メールにより受信した画像データを表示する。さらに画像出力部２３は、ユーザグループの作成要求を受け付けることができる。例えば、受信者が「グループ作成ボタン」を押した場合、画像出力部２３は、受信端末２のアドレス帳（図示せず）に、撮影者と受信者とからなるユーザグループを登録する。ただし、ユーザグループを作成するためには、画像出力部２３は、受信者全員及び撮影者の通信アドレス及び氏名を、画像データと共に撮影端末１から取得する必要がある。
【００３５】
図３（ｃ）は、作成されたユーザグループの選択画面である。画像出力部２３は、前記撮影端末と同様に、作成したユーザグループをプレゼンスサーバ３３に登録してもよい。この場合、登録元の受信端末のユーザが、グループ保持者として登録される。
【００３６】
図３（ｄ）は、画像出力部２３が表示する通信者選択画面である。画像データとともに受信端末のＧＰＳ座標を受信した場合、画像出力部２３は前記と同様に、各受信者に応じたクリッカブル画像を作成することができる。
【００３７】
［処理の流れ］
図４は、前記データ送信システムにおける処理の流れを示す説明図である。
受信端末２は、ＧＰＳで取得した自端末のＧＰＳ座標を、センタ端末３に送信する（＃１）。この処理は、一定時間間隔で行ってもよいし、また受信端末２を使用している受信者の指示に従って行ってもよい。センタ端末３は、受信端末２のＧＰＳ座標を、端末位置テーブルに登録する（＃２）。
【００３８】
一方、撮影端末１では撮影者が人物、風景などの撮影を行う。ここでは、受信端末２を携帯する受信者を被写体として撮影する場合を例に取り説明する。撮影端末１は、機能選択のためのメニュー画面（図２（ａ））を表示する。この画面上でデジカメ（自動送信）が選択されると撮影モードに移行し、被写体の撮影が行われる（＃３及び図２（ｂ））。次いで、撮影端末１は、検出した被写体までの距離、方位、ＧＰＳ座標を含む相対位置情報を、センタ端末３に送信する（＃４）。前述したように、撮影端末１は、自端末の一ヶ月間の通信履歴や自端末のアドレス帳を、前記相対位置情報とともにセンタ端末３に送信してもよい。
【００３９】
センタ端末３は、前記相対位置情報を受信し（＃５）、画像データの送信先候補が記述された候補リストを作成する（＃６）。この候補リストには、受信者名、電話番号、メールアドレス、受信端末のＧＰＳ座標などが記述される。センタ端末３は、生成した候補リストを撮影端末１に送信する（＃７）。
【００４０】
撮影端末１は、候補リストを受信し（＃８）、電子メールの送信宛先として候補リスト内の電子メールアドレスをセットし、画像データを送信する（＃９、１０）。候補リストの電子メールアドレス全てをそのまま送信先にしなくてもよい。例えば、撮影端末１のディスプレイ上に候補リストを出力し、送信先の修正を受け付けてもよい（＃８、図２（ｄ）、図２（ｅ））。
【００４１】
さらに、画像データを送信するだけでなく、前述のクリッカブル画像の作成や、ユーザグループの作成を受け付けても良い（＃１１、＃１２）。クリッカブル画像の作成を可能にするためには、前記候補リストに受信端末の絶対位置を示すＧＰＳ座標が含まれている必要がある。また、ユーザグループの作成を可能にするには、前記候補リストに、受信者の氏名や電話番号、メールアドレスが含まれている必要がある。
【００４２】
受信端末２は、画像データを受信すると、受信通知画面（図３（ａ））や画像表示画面（図３（ｂ））をディスプレイ上に出力する（＃１３、１４）。画像データと共に受信端末のＧＰＳ座標を受信した場合、受信端末２側でも被写体に対して前記クリッカブル画像を作成することが可能である（＃１５）。このようにすれば、被写体が複数存在する場合、被写体同士がクリッカブル画像を用いて容易にコミュニケーションを開始することができる。また、画像データに受信者全員及び撮影者の通信アドレスが添付されている場合、受信端末３側でもユーザグループを作成することが可能である（＃１６）。
【００４３】
例えば、旅行会社の添乗員が、団体旅行客の記念撮影をする場合、添乗員は大勢の旅行客の電子メールアドレスを自ら設定しなくとも撮影した写真を送信することができる。また、旅行客同士でユーザグループを形成すれば、旅行中や旅行の後も気軽にコミュニケーションを取ることができる。
【００４４】
＜第２実施形態例＞
前記第１実施形態例において、図２（ｄ）の候補リスト画面に代え、図５に示す候補リスト画面を表示することも考えられる。図５の候補リスト画面は、撮影者と受信者の相対的な位置関係と、送信先候補を示す選択エリアとを示している。この例では、相対的な位置関係として、上面から見た撮影端末１と受信端末２との位置が表示されている。また、選択エリア内の受信者Ｂ及びＣが送信先候補である。
【００４５】
センタ端末３の送信先決定部３２は、受信端末２のＧＰＳ座標と撮影端末１のＧＰＳ座標とに基づいて各端末の表示位置を決定する。また、送信先決定部３２は、撮影端末１から被写体までの距離及び方位に基づいて選択エリア５１を決定する。各端末の表示位置及び選択エリア５１の決定は、撮影端末１の制御部１５で行うことも可能である。さらに制御部１５は、「距離調整ボタン」や「角度調整ボタン」により選択エリア５１の変更を受け付け、これにより送信先候補の変更を受け付ける。
【００４６】
＜第３実施形態例＞
［構成］
図６は、第３実施形態例に係るデータ送信システムの構成図である。このシステムは、前記第１実施形態例に係るデータ送信システムにおいて、撮影端末１にはＷＷＷブラウザ１８がさらに付加されている。受信端末２には、画像出力部２３に代えてＷＷＷブラウザ２４が用いられている。センタ端末３には、画像蓄積部３４、アクセス制御テーブル３５、ＷＷＷサーバ３６及び画像受信部３７をさらに付加されている。図中、前記第１実施形態例と同一の符号を付して記した要素は、第１実施形態例と同様の機能を有している。
【００４７】
画像蓄積部３４は、撮影端末１から送信されてくる画像データをＷｅｂ形式で蓄積している。各画像データはＵＲＬ（Ｕｎｉｆｏｒｍ  Ｒｅｓｏｕｒｃｅ  Ｌｏｃａｔｏｒ）により識別される。アクセス制御テーブル３５には、「画像名」、「許可アドレス」及び「ＵＲＬ」が記憶されている。ＵＲＬで特定される各画像データは、許可アドレスに登録されている撮影端末または受信端末にのみ提供される。画像蓄積部３４及びアクセス制御テーブル３５は、センタ端末３のハードディスク上に記憶される。
【００４８】
ＷＷＷサーバ３６は、撮影端末１や受信端末２から画像データの提供要求を受け付け、アクセス制御テーブル３５で参照を許可されている端末に画像データを提供する。画像受信部３７は、画像データ及び画像名を撮影端末１から受信し、画像蓄積部３４やアクセス制御テーブル３５に格納する。ＷＷＷサーバ３６及び画像受信部３７の機能は、センタ端末３のＣＰＵにより実行される。
【００４９】
撮影端末１及び受信端末２のＷＷＷブラウザ１８及び２４は、ＷＷＷサーバ３６に対して画像データの提供要求を送信し、これを取得して出力する。
［処理の流れ］
図７は、前記図６の構成を有するデータ送信システムにおける処理の流れを示す説明図である。まず、受信端末２は、所定時間間隔でまたは被写体ユーザの指示に応じてＧＰＳで取得した自端末のＧＰＳ座標を、センタ端末３に送信する（＃２１）。センタ端末３は、受信端末２のＧＰＳ座標を、端末位置テーブル３１に登録する（＃２２）。
【００５０】
一方、撮影端末１では撮影者が、受信端末２を携帯する受信者を被写体として撮影する。撮影端末１は、機能選択のためのメニュー画面（図２（ａ））を表示する。この画面上でデジカメ（自動送信）が選択されると撮影モードに移行し、被写体の撮影が行われる（＃２３）。次いで、撮影端末１は、検出した被写体までの距離、方位、ＧＰＳ座標を含む相対位置情報と、画像データとを、センタ端末３に送信する（＃２４）。前述したように、撮影端末１は、自端末の一ヶ月間の通信履歴や自端末のアドレス帳を、前記相対位置情報や画像データとともにセンタ端末３に送信してもよい。また、撮影端末１は、画像名の設定を撮影者から受け付け、画像名をセンタ端末３に送信しても良い。
【００５１】
センタ端末３は、前記第１実施形態例と同様に送信先候補を決定し（＃２５、＃２６）、送信先候補の受信端末の通信アドレスと、前記画像データの画像名とを、アクセス制御テーブル３５に登録する（＃２７）。また、センタ端末３は、撮影端末１から受信した画像データを画像蓄積部３４に格納し、前記画像データのＵＲＬをアクセス制御テーブル３５に登録するする（＃２７）。さらに、センタ端末３は、撮影端末１の通信アドレスを、許可アドレスとしてアクセス制御テーブル３５に登録する（＃２７）。
【００５２】
次いで、センタ端末３は、画像データのＵＲＬを撮影端末１に通知する（＃２８）。この通知は、例えば電子メールで行うことができる。この通知を受け取った撮影端末１は（＃２９）、撮影端末１のブラウザ機能により、通知されたＵＲＬにアクセスする（＃３０）。センタ端末３は、撮影端末１の通信アドレスがアクセス制御テーブル３５に登録されているか否かを判断し、登録されていれば撮影端末１に要求された画像データを提供する（＃３１、＃３２）。撮影端末１ではＷＷＷブラウザ１８により画像データが表示される（＃３３）。その後、撮影者端末１では、前記第１実施形態例と同様にクリッカブル画像の作成やユーザグループの作成、登録が行われる（＃３４、＃３５）。
【００５３】
一方、画像データのＵＲＬは受信端末２にも通知される（＃２８）。この通知を受け取った受信端末２では、ＷＷＷブラウザ２４により通知されたＵＲＬにアクセスする（＃３６、＃３７）。アクセス要求を受けたセンタ端末３は、アクセス元の受信端末２の通信アドレスがアクセス制御テーブル３５に登録されているか否かを判断し、登録されていれば要求されたＵＲＬの画像データを受信端末２に提供する（＃３８、＃３９）。受信端末２は、ＷＷＷブラウザ２４により、提供された画像データを取得して表示する（＃４０）。その後、受信端末２では第１実施形態例と同様にクリッカブル画面の作成やユーザグループの作成、登録が行われる（＃４１、＃４２）。
【００５４】
＜第４実施形態例＞
［構成］
図８は、第４実施形態例に係るデータ送信システムの構成図である。このシステムは、前記第１実施形態例において、撮影端末１及び受信端末２にそれぞれ無線通信部１９及び無線通信部２５を付加した構成を有している。図中、前記第１実施形態例と同一の符号番号で表した要素は、第１実施形態例と同様の機能を有している。無線通信部１９及び無線通信部２５は、Ｂｌｕｅｔｏｏｔｈ（登録商標）や赤外線通信インターフェースなどＩＥＥＥ１３９４に準拠した通信インターフェースを用いて構成することができる。無線通信部１９、２５により、撮影端末１と受信端末２とは、ネットワーク４を介さず直接データの送受信を行うことができる。
【００５５】
また、撮影端末１の制御部１５と、受信端末２の画像出力部２３は、前記第１実施形態例の機能に加え、認証機能を有する。本実施形態例では、認証情報として、撮影端末１及び受信端末２の絶対位置、例えばＧＰＳ座標を用いる。まず制御部１５は、無線通信部１９を介し、受信端末２から画像データの要求とともに撮影端末のＧＰＳ座標を取得する。制御部１５は、前記取得したＧＰＳ座標と自端末のＧＰＳ座標とが一致する場合に、受信端末２を認証する。制御部１５は、認証した受信端末２に、センタ端末３から受信した候補リスト中の送信先端末の絶対位置リストを送信する。これを受け取った受信端末２の画像出力部２３は、自端末のＧＰＳ座標が前記リスト中に入っているか否かにより撮影端末１の認証を行う。画像出力部２は、自端末のＧＰＳ座標が含まれている場合、無線通信部２５を介して画像データを撮影端末１から取得する。
【００５６】
［処理］
図９は、第４実施形態例に係るシステムにおける処理の流れを示す説明図である。まず、受信端末２は、所定時間間隔でまたは被写体ユーザの指示に応じてＧＰＳで取得した自端末のＧＰＳ座標を、センタ端末３に送信する（＃５１）。センタ端末３は、受信端末２のＧＰＳ座標を、端末位置テーブル３１に登録する（＃５２）。
【００５７】
一方、撮影端末１では撮影者が、受信端末２を携帯する受信者を被写体として撮影する。撮影端末１は、機能選択のためのメニュー画面（図２（ａ））を表示する。この画面上でデジカメ（自動送信）が選択されると撮影モードに移行し、被写体の撮影が行われる（＃５３）。次いで、撮影端末１は、検出した被写体までの距離、方位、ＧＰＳ座標を含む相対位置情報を、センタ端末３に送信する（＃５４）。前述したように、撮影端末１は、自端末の一ヶ月間の通信履歴や自端末のアドレス帳を、前記相対位置情報とともにセンタ端末３に送信してもよい。
【００５８】
センタ端末３は、前記第１実施形態例と同様に送信先候補を決定し、候補リストを作成する（＃５６）。次いで、センタ端末３は、送信先候補の受信端末の通信アドレスとＧＰＳ座標とを、撮影端末１に送信する（＃５７、＃５８）。これを受け取った撮影端末１は、候補リストに登録されている受信端末２からの画像の送信要求を待機する。
【００５９】
一方、センタ端末３は、前記＃５６で作成した候補リストに含まれている受信端末２に対し、撮影端末１のＧＰＳ座標と通信アドレスとを送信する（＃５９）。受信端末２は、これを受信し（＃６０）、通知された撮影端末１に対し画像データの送信要求を送信する（＃６１）。撮影端末１は、この要求を受信すると（＃６２）、受信端末２の認証を行う（＃６３）。撮影端末１は、認証した受信端末２に、センタ端末３から受信した候補リスト中の送信先端末の絶対位置リストを送信する（＃６４）。
【００６０】
これを受け取った受信端末２では、自端末のＧＰＳ座標が前記リスト中に入っているか否かにより撮影端末１の認証を行う（＃６５、＃６６）。受信端末２は、自端末のＧＰＳ座標が含まれている場合、送信開始要求を撮影端末１に送信する（＃６７）。撮影端末１は、前記要求を受信し、画像データを無線通信部１９を介して送信する（＃６８、＃６９）。受信端末２は、無線通信部２５を介して画像データを受信し、ディスプレイなどに画像を出力する（＃７２、＃７３）。撮影端末１及び受信端末２において、クリッカブル画像の作成やユーザグループの作成、登録が行われるのは前記と同様である（＃７１、＃７２、＃７５、＃７６）。
【００６１】
＜その他の実施形態例＞
（Ａ）前記データ送信システムを団体旅行を主催する旅行会社が利用する場合、旅行の参加者の電子メールアドレスや携帯電話の電話番号を、参加者から取得可能である。旅行会社のホスト端末に前記センタ端末３の機能を付加し、かつホスト端末に参加者の通信アドレスを登録しておく。撮影端末を携帯する添乗員は、自端末のアドレス帳１７に代えてホスト端末に記憶された参加者の通信アドレス一覧を参照し、画像データの送信先を修正することができる。
【００６２】
（Ｂ）前記システムにおける方法を実行するプログラム及びそれを記録したコンピュータ読み取り可能な記録媒体は、本発明に含まれる。ここで記録媒体としては、コンピュータが読み書き可能なフレキシブルディスク、ハードディスク、半導体メモリ、ＣＤ−ＲＯＭ、ＤＶＤ、光磁気ディスク（ＭＯ）、その他のものが挙げられる。
【００６３】
（Ｃ）前記実施例では、位置情報としてＧＰＳ座標を用いたが、位置情報はＧＰＳ座標に限定されるものではなく、撮影者、被撮影者の存在位置が特定できる情報であればよい。
【００６４】
（Ｄ）また、Ｂｌｕｅｔｏｏｔｈ機能を有した可搬可能な端末装置を用いる場合、Ｂｌｕｅｔｏｏｔｈによるデータの送受信が可能な機器を所定の場所に設置するとよい。前記Ｂｌｕｅｔｏｏｔｈ機能を有した可搬可能な端末装置を携行した利用者が当該機器の近傍に存在する場合、当該機器は、Ｂｌｕｅｔｏｏｔｈ機能により当該利用者の端末装置を検知し、当該端末装置を検出したことを前記位置情報管理サーバ等に通知する。位置情報管理サーバは、記憶している各利用者の端末装置の位置情報に基づいて、撮像した画像の送信先を選定することができる。
【００６５】
例えば、屋内において、近傍に前記端末装置の存在を検知すると前記位置情報管理サーバに検出した端末装置を通知する前記機器を各部屋設置しておくことにより、撮影者と同じ部屋にいる利用者に対して、撮影した画像を送信することが可能となる。
＜付記＞
（付記１）
画像入力機能を有する移動体通信端末（以下、撮影端末という）と、画像出力機能を有する移動体通信端末群（以下、受信端末群という）と、コンピュータとが、ネットワークで接続されたデータ送信システムに用いられるデータ送信方法であって、
前記受信端末群がそれぞれの自端末の位置情報と通信アドレスとを前記コンピュータに通知する位置情報通知ステップと、
前記コンピュータが前記受信端末群それぞれの位置情報と通信アドレスとを記憶する位置記憶ステップと、
前記撮影端末が、撮影終了後、被写体までの距離と撮影方向と自端末の位置情報と含む相対位置情報を、前記コンピュータに通知する相対位置通知ステップと、
前記コンピュータが、前記受信端末群それぞれの位置情報と前記相対位置情報とに基づいて、撮影された画像データの送信先候補を決定する候補決定ステップと、
前記コンピュータが、前記送信先候補のアドレスを前記撮影端末に通知する候補通知ステップと、
前記撮影端末が、前記送信先候補の受信端末に対し、前記画像データを送信する送信ステップと、
前記送信先候補の受信端末が、前記画像データを受信及び出力する出力ステップと、
を含むデータ送信方法。
【００６６】
（付記２）
画像入力機能を有する移動体通信端末（以下、撮影端末という）と、画像出力機能を有する移動体通信端末群（以下、受信端末群という）とに、ネットワークを介して接続する接続手段と、
前記受信端末群から各受信端末の位置情報と通信アドレスとを受信する位置情報受信手段と、
前記各受信端末の位置情報と通信アドレスとを記憶する位置記憶手段と、
前記撮影端末から被写体までの距離と撮影方向と前記撮影端末の位置情報と含む相対位置情報を、前記撮影端末から受信する相対位置通知手段と、
前記各受信端末の位置情報と前記相対位置情報とに基づいて、撮影された画像データの送信先候補を決定する候補決定手段と、
前記送信先候補の通信アドレスを前記撮影端末に通知する候補通知手段と、
を備える送信先決定装置。
【００６７】
この装置は、前記第１発明の方法を用いたシステムにおけるコンピュータに相当する。
（付記３）
前記撮影端末から画像データを受信する画像受信手段と、
前記画像データを記憶する画像記憶手段と、
前記撮影端末を含むいずれかの撮影端末または前記受信端末群に含まれるいずれかの受信端末から、前記画像データの提供要求を受け付ける要求受付手段と、
前記提供要求元に前記画像データを提供する画像提供手段と、
をさらに備える、付記２に記載の送信先決定装置。
【００６８】
画像記憶手段に記憶されている画像データを提供する画像提供手段は、ＷＷＷサーバを用いて実現することができる。この場合、格納アドレスとしてはＵＲＬを用いる。
【００６９】
（付記４）
前記画像データが記憶されている格納アドレスと、前記画像データの送信先候補の通信アドレスと、前記撮影端末の通信アドレスとを記憶するアクセス記憶手段と、
前記提供要求元の通信アドレスと前記アクセス記憶手段に記憶されている情報とに基づいて、前記提供要求元が前記送信先候補のいずれかであるかまたは前記撮影端末であるか否かを判断する判断手段と、をさらに備え、
前記画像提供手段は、前記判断に従い、前記提供要求元に前記画像データを提供する、
付記３に記載の送信先決定装置。
【００７０】
この装置は、送信先候補または撮影元の端末からの要求に対してのみ、画像データを提供する。
（付記５）
画像入力機能を有する移動体通信端末（以下、撮影端末という）と、画像出力機能を有する移動体通信端末群（以下、受信端末群という）とに、ネットワークを介して接続する接続手段、
前記受信端末群から各受信端末の位置情報と通信アドレスとを受信する位置情報受信手段、
前記各受信端末の位置情報と通信アドレスとを記憶する位置記憶手段、
前記撮影端末から被写体までの距離と撮影方向と前記撮影端末の位置情報と含む相対位置情報を、前記撮影端末から受信する相対位置通知手段、
前記各受信端末の位置情報と前記相対位置情報とに基づいて、撮影された画像データの送信先候補を決定する候補決定手段、及び
前記送信先候補の通信アドレスを前記撮影端末に通知する候補通知手段、
としてコンピュータを機能させる送信先決定プログラム。
【００７１】
（付記６）
画像入力機能を有する移動体通信端末（以下、撮影端末という）と、画像出力機能を有する移動体通信端末群（以下、受信端末群という）とに、ネットワークを介して接続する接続ステップと、
前記受信端末群から各受信端末の位置情報と通信アドレスとを受信する位置情報受信ステップと、
前記各受信端末の位置情報と通信アドレスとを記憶する位置記憶ステップと、
前記撮影端末から被写体までの距離と撮影方向と前記撮影端末の位置情報と含む相対位置情報を、前記撮影端末から受信する相対位置通知ステップと、
前記各受信端末の位置情報と前記相対位置情報とに基づいて、撮影された画像データの送信先候補を決定する候補決定ステップと、
前記送信先候補の通信アドレスを前記撮影端末に通知する候補通知ステップと、
を実行するための送信先決定プログラムを記録した、コンピュータ読み取り可能な記録媒体。
【００７２】
（付記７）
画像入力機能を有する移動体通信端末（以下、撮影端末という）と、画像出力機能を有する移動体通信端末群（以下、受信端末群という）とに、ネットワークを介して接続する接続ステップと、
前記受信端末群から各受信端末の位置情報と通信アドレスとを受信する位置情報受信ステップと、
前記各受信端末の位置情報と通信アドレスとを記憶する位置記憶ステップと、
前記撮影端末から被写体までの距離と撮影方向と前記撮影端末の位置情報と含む相対位置情報を、前記撮影端末から受信する相対位置通知ステップと、
前記各受信端末の位置情報と前記相対位置情報とに基づいて、撮影された画像データの送信先候補を決定する候補決定ステップと、
前記送信先候補の通信アドレスを前記撮影端末に通知する候補通知ステップと、
を含む送信先決定方法。
【００７３】
（付記８）
画像入力機能を有する移動体通信端末（以下、撮影端末という）であって、
画像出力機能を有する移動体通信端末群（以下、受信端末群という）と、前記受信端末群に含まれる各受信端末の位置情報及び通信アドレスを記憶するコンピュータとに、ネットワークを介して接続する接続手段と、
自端末の位置情報を検出する位置情報検出手段と、
画像データ入力後、被写体までの距離と撮影方向と前記自端末の位置情報とを含む相対位置情報を、前記コンピュータに通知する相対位置通知手段と、
前記コンピュータが前記各受信端末の位置情報と前記相対位置情報とに基づいて決定した前記画像データの送信先候補の通信アドレスを、前記コンピュータから受信する候補受信手段と、
前記送信先候補の受信端末に対し、前記画像データを送信する送信手段と、
を含む撮影端末。
【００７４】
（付記９）
前記送信先候補の一覧を出力する候補一覧出力手段と、
前記送信先候補の変更を受け付ける候補変更手段と、をさらに備え、
前記送信手段は、変更された送信先候補の受信端末に対し、前記画像データを送信する、
付記８に記載の撮影端末。
【００７５】
撮影端末のディスプレイには、送信先候補のアドレスやユーザ名がリスト表示される。撮影者は、送信先候補の削除や追加を行い、最終的な送信先を決定する。例えば、撮影端末内に記憶されたアドレス帳に記憶されている受信端末を送信先候補に加えることも考えられる。
【００７６】
（付記１０）
前記撮影端末周辺の受信端末群と前記撮影端末との位置関係及び前記送信先候補を示す選択範囲を出力する候補位置表示手段と、
前記選択範囲の変更を受け付ける範囲変更手段と、をさらに備え、
前記送信手段は、前記変更後の選択範囲に含まれる少なくとも１つの受信端末に前記画像データを送信する、
付記８に記載の撮影端末。
【００７７】
例えば撮影端末のディスプレイに、自端末と他の受信端末群との位置関係を表示する。さらに、選択エリアを表示する。その中の受信端末群は送信先候補である。撮影者は、選択エリアを広げたり狭めたりすることにより、その中に入る受信端末を調整し、送信先を選択する。
【００７８】
（付記１１）
前記受信端末群と無線通信するための無線接続手段をさらに備え、
前記送信手段は、前記無線接続手段を介して前記画像データを送信する、
付記８に記載の撮影端末。
【００７９】
無線接続手段としては、Ｂｌｕｅｔｏｏｔｈ（登録商標）や、赤外線通信などを用いることができる。
（付記１２）
前記画像データの送信要求及び前記コンピュータに送信した撮影端末自身の位置情報を、前記受信端末群に含まれる任意の受信端末から前記無線接続手段を介して受信する無線要求受付手段と、
前記受信した位置情報と前記位置情報検出手段が検出した位置情報とを比較し、両者が一致する場合、前記受信端末への前記画像データの送信を前記送信手段に指示する認証手段と、
をさらに備える、付記１１に記載の撮影端末。
【００８０】
この撮影端末は、無線通信による画像データ提供のための認証情報として、自端末の位置情報情報を用いる。
（付記１３）
画像入力機能を有する移動体通信端末（以下、撮影端末という）であって、
画像出力機能を有する移動体通信端末群（以下、受信端末群という）と、前記受信端末群に含まれる各受信端末の位置情報及び通信アドレスを記憶するコンピュータとに、ネットワークを介して接続する接続手段と、
自端末の位置情報を検出する位置情報検出手段と、
画像データ入力後、被写体までの距離と撮影方向と前記自端末の位置情報とを含む相対位置情報を、前記コンピュータに通知する相対位置通知手段と、
前記画像データを、前記相対位置情報と関連付けて前記コンピュータに送信するアップロード手段と、
を備える撮影端末。
【００８１】
（付記１４）
前記画像データの提供を前記コンピュータに要求する要求手段と、
前記コンピュータから前記画像データを取得し、出力する画像出力手段と、
をさらに備える、付記１３に記載の撮影端末。
【００８２】
要求手段及び画像出力手段は、例えばＷＷＷブラウザを用いて実現可能である。
（付記１５）
画像入力機能を有する移動体通信端末（以下、撮影端末という）としてコンピュータを機能させる撮影プログラムであって、
画像出力機能を有する移動体通信端末群（以下、受信端末群という）と、前記受信端末群に含まれる各受信端末の位置情報及び通信アドレスを記憶するセンタコンピュータとに、ネットワークを介して接続する接続手段、
自端末の位置情報を検出する位置情報検出手段、
画像データ入力後、被写体までの距離と撮影方向と前記自端末の位置情報とを含む相対位置情報を、前記コンピュータに通知する相対位置通知手段、
前記コンピュータが前記各受信端末の位置情報と前記相対位置情報とに基づいて決定した前記画像データの送信先候補の通信アドレスを、前記コンピュータから受信する候補受信手段、及び
前記送信先候補の受信端末に対し、前記画像データを送信する送信手段、
として前記コンピュータを機能させる撮影プログラム。
【００８３】
（付記１６）
画像入力機能を有する移動体通信端末（以下、撮影端末という）に用いられる送信プログラムを記録したコンピュータ読み取り可能な記録媒体であって、
画像出力機能を有する移動体通信端末群（以下、受信端末群という）と、前記受信端末群に含まれる各受信端末の位置情報及び通信アドレスを記憶するコンピュータとに、ネットワークを介して接続する接続ステップと、
自端末の位置情報を検出する位置情報検出ステップと、
画像データ入力後、被写体までの距離と撮影方向と前記自端末の位置情報とを含む相対位置情報を、前記コンピュータに通知する相対位置通知ステップと、
前記コンピュータが前記各受信端末の位置情報と前記相対位置情報とに基づいて決定した前記画像データの送信先候補の通信アドレスを、前記コンピュータから受信する候補受信ステップと、
前記送信先候補の受信端末に対し、前記画像データを送信する送信ステップと、
を実行するための送信プログラムを記録したコンピュータ読み取り可能な記録媒体。
【００８４】
（付記１７）
画像入力機能を有する移動体通信端末（以下、撮影端末という）に用いられる送信方法であって、
画像出力機能を有する移動体通信端末群（以下、受信端末群という）と、前記受信端末群に含まれる各受信端末の位置情報及び通信アドレスを記憶するコンピュータとに、ネットワークを介して接続する接続ステップと、
自端末の位置情報を検出する位置情報検出ステップと、
画像データ入力後、被写体までの距離と撮影方向と前記自端末の位置情報とを含む相対位置情報を、前記コンピュータに通知する相対位置通知ステップと、
前記コンピュータが前記各受信端末の位置情報と前記相対位置情報とに基づいて決定した前記画像データの送信先候補の通信アドレスを、前記コンピュータから受信する候補受信ステップと、
前記送信先候補の受信端末に対し、前記画像データを送信する送信ステップと、
を含む送信方法。
【００８５】
（付記１８）
画像出力機能を有する移動体通信端末（以下、受信端末という）であって、
画像入力機能を有する移動体通信端末（以下、撮影端末という）と、前記受信端末の位置情報及び通信アドレスを記憶するコンピュータとに、ネットワークを介して接続する接続手段と、
自端末の位置情報を検出する位置検出手段と、
前記検出した自端末の位置情報及び通信アドレスを、前記コンピュータに送信する位置情報送信手段と、
前記撮影端末が撮影した画像データを、前記撮影端末または前記コンピュータから取得して出力する出力手段と、
を備える受信端末。
【００８６】
（付記１９）
前記撮影端末と無線通信するための無線接続手段をさらに備え、
前記出力手段は、前記無線接続手段を介して前記画像データを取得する、
付記１８に記載の撮影端末。
【００８７】
無線接続手段としては、Ｂｌｕｅｔｏｏｔｈや、赤外線通信などを用いることができる。
（付記２０）
前記画像データの送信要求及び前記コンピュータに送信した撮影端末自身の位置情報を、前記撮影端末に前記無線接続手段を介して送信する無線要求送信手段と、
前記撮影端末から送信先候補の位置情報一覧を受信する候補受信手段と、
前記受信した位置情報一覧の中に自端末の位置情報が含まれているか否かを判断し、自端末の位置情報が含まれている場合、前記撮影端末へ前記画像データの送信を要求する認証手段と、
をさらに備える、付記１９に記載の受信端末。
【００８８】
この受信端末は、無線通信による画像データ取得のための認証情報として、自端末の位置情報情報を用いる。
（付記２１）
画像出力機能を有する移動体通信端末（以下、受信端末という）としてコンピュータを機能させる受信プログラムであって、
画像入力機能を有する移動体通信端末（以下、撮影端末という）と、前記受信端末の位置情報及び通信アドレスを記憶するセンタコンピュータとに、ネットワークを介して接続する接続手段、
自端末の位置情報を検出する位置検出手段、
前記検出した自端末の位置情報及び通信アドレスを、前記コンピュータに送信する位置情報送信手段、及び
前記撮影端末が撮影した画像データを、前記撮影端末または前記コンピュータから取得して出力する出力手段、
として前記コンピュータを機能させる受信プログラム。
【００８９】
（付記２２）
画像出力機能を有する移動体通信端末（以下、受信端末という）に用いられる受信プログラムを記録した、コンピュータ読み取り可能な記録媒体であって、
画像入力機能を有する移動体通信端末（以下、撮影端末という）と、前記受信端末の位置情報及び通信アドレスを記憶するコンピュータとに、ネットワークを介して接続する接続ステップと、
自端末の位置情報を検出する位置検出ステップと、
前記検出した自端末の位置情報及び通信アドレスを、前記コンピュータに送信する位置情報送信ステップと、
前記撮影端末が撮影した画像データを、前記撮影端末または前記コンピュータから取得して出力する出力ステップと、
を実行するための受信プログラムを記録した、コンピュータ読み取り可能な記録媒体。
【００９０】
（付記２３）
画像出力機能を有する移動体通信端末（以下、受信端末という）に用いられる受信方法であって、
画像入力機能を有する移動体通信端末（以下、撮影端末という）と、前記受信端末の位置情報及び通信アドレスを記憶するコンピュータとに、ネットワークを介して接続する接続ステップと、
自端末の位置情報を検出する位置検出ステップと、
前記検出した自端末の位置情報及び通信アドレスを、前記コンピュータに送信する位置情報送信ステップと、
前記撮影端末が撮影した画像データを、前記撮影端末または前記コンピュータから取得して出力する出力ステップと、
を含む受信方法。
【００９１】
【発明の効果】
本発明を用いれば、撮影者は撮影した画像を手軽に送信することができる。
【図面の簡単な説明】
【図１】第１実施形態例に係るデータ送信システムの構成図。
【図２】撮影端末側画面例。
【図３】受信端末側画面例。
【図４】図１のシステムにおける処理の流れを示す説明図。
【図５】第２実施形態例における候補リスト画面の一例。
【図６】第３実施形態例に係るデータ送信システムの構成図。
【図７】図６のシステムにおける処理の流れを示す説明図。
【図８】第４実施形態例に係るデータ送信システムの構成図。
【図９】図８のシステムにおける処理の流れを示す説明図。
【符号の説明】
１：撮影端末
２：受信端末
３：センタ端末
【図１】
0004767453.tif 000002
【図２】
0004767453.tif 000003
【図３】
0004767453.tif 000004
【図４】
0004767453.tif 000005
【図５】
0004767453.tif 000006
【図６】
0004767453.tif 000007
【図７】
0004767453.tif 000008
【図８】
0004767453.tif 000009
【図９】
0004767453.tif 000010